(57)【要約】【課題】美術品、建造物、自然物、並びに写真などの構図を、黄金比または白銀比のいずれかあるいは両方を用いて容易に検討・観察することができるツールを提供すること。【解決手段】構図検討プレート１ａは、黄金比のスケールと白銀比のスケールとのいずれかを透明なプレートへ描いたスケールプレート（黄金比プレート３ａと白銀比プレート４ａのいずれかあるいは両方）と、少なくとも一枚の前記スケールプレートを嵌め込む凹部２１ａを形成した透明な基板プレート２ａと、を備え、凹部２１ａに嵌め込まれた前記スケールプレートは、前記凹部２１ａ内で回転する。【選択図】図１Ａ
2008254287.tif 000002
【特許請求の範囲】
【請求項１】
黄金比のスケール又は白銀比のスケールのいずれかを描いたスケールプレートと、
少なくとも一枚の前記スケールプレートを嵌め込む凹部を備える基板プレートと、を含み、
前記スケールプレートは、描かれた黄金比のスケール又は白銀比のスケールと、透かして見る画像との対比が可能となっており、前記凹部内で回転可能であることを特徴とする構図検討プレート。
【請求項２】
黄金比のスケールを描いたスケールプレートと、
白銀比のスケールを描いたスケールプレートと、
前記スケールプレートを回転可能に備えることができる基板プレートと、を含み、
スケールプレートに描かれた黄金比のスケール又は白銀比のスケールと、透かして見える画像との対比が可能となることを特徴とする構図検討プレート。
【請求項３】
前記スケールプレートは、円形または多角形の形状であることを特徴とする請求項１又は２記載の構図検討プレート。
【請求項４】
前記基板プレートと前記スケールプレートとの少なくとも一方に、前記スケールプレートの回転角が計測可能に目盛を備えることを特徴とする請求項１又は２記載の構図検討用プレート。
【請求項５】
黄金比のスケールを描いたスケールプレートと、
白銀比のスケールを描いたスケールプレートと、
これらのスケールプレートを背中合わせに相対回転可能に貼り合わせる連結手段と、を含み、
前記スケールプレートに描かれた黄金比のスケール又は白銀比のスケールと、このスケールプレートを透かして見える画像との対比が可能となることを特徴とする構図検討プレート。
【請求項６】
前記スケールプレートに描かれた黄金比のスケール及び白銀比のスケールの中心が重なるように回転可能であることを特徴とする請求項２から請求項５いずれかに記載の構図検討用プレート。
【請求項７】
前記スケールプレートは、凹部内に回転可能に嵌め込まれることを特徴とする請求項１から請求項６いずれかに記載の構図検討用プレート。
【請求項８】
前記連結手段が、締め具を含むことを特徴とする請求項５記載の構図検討プレート。
【請求項９】
前記連結手段が、溝を含むことを特徴とする請求項５記載の構図検討プレート。
【請求項１０】
黄金比のスケール及び白銀比スケールを描く色が異なることを特徴とする請求項１から９いずれかに記載の構図検討プレート。
【発明の詳細な説明】
【技術分野】
【０００１】
本発明は、美術品、建造物、自然物などの構図を黄金比と白銀比とを用いて検討する構図検討プレートに関する。
【背景技術】
【０００２】
従来から、美術品、建築・建造物、または、事前物などの構図が研究されている。その際、黄金比や白銀比（白銀比は大和比ともいう）と呼ばれる比率が用いられている。
【０００３】
黄金比は、人間にとって安定し、美しい比率とされ、建築や美術的要素の一つとされている。黄金比（Ｇｏｌｄｅｎ  ｒａｔｉｏ）は、比率１：（１＋√５）／２であり、近似値は１：１．６１８である。美術デザインの世界では、画像を美しく決めるための縦横比として用いられ、見た目に落ち着き感のある理想的な比であるとされている。一方、白銀比は、日本の古代建築の構造において古くから大工の間で用いられてきた比率であり、法隆寺の金堂、五重塔などの建造物で用いられている。白銀比は、比率１：（１＋√２）／２であり、近似値は１：１．４１４である。
【０００４】
絵画や写真の構図のとり方において黄金比や白銀比あるいはその他の比に基づいて構図を決めることによって美や調和が作り出されるとされていることが紹介されている（非特許文献１、非特許文献２、非特許文献３、非特許文献４）。
【０００５】
また、最近では、デジタルカメラやビデオの普及により、写真や動画を写す機会が増えており、被写体の構図についても黄金比や白銀比はあるいはその他の比に基づいて構図を検討することも行われている（特許文献１、非特許文献５）。
【０００６】
さらに、黄金比を描いたプレートも出てきており、プレートを用いて対象物を検討することも可能になってきている（非特許文献６）。
【特許文献１】特開２００５−２７６０２０号公報
【非特許文献１】“静物画講座（その１３）構図について（１）”、［ｏｎｌｉｎｅ］［平成１９年４月３日検索］インターネット〈ＵＲＬ：http://www.koalanet.ne.jp/~miura-a/lecture13_body.htm〉
【非特許文献２】“室町時代  能面の秘密を探る  「黄金比」と「大和比」”、［ｏｎｌｉｎｅ］［平成１９年４月３日検索］インターネット〈ＵＲＬ：http://www.max.hi-ho.ne.jp/nohjinkai/topics_vol2.html〉
【非特許文献３】“Ｌｅｓｓｏｎ１５  構図”、［ｏｎｌｉｎｅ］［平成１９年４月３日検索］インターネット〈ＵＲＬ：http://cinema-magazine.com/old_page/migalogic/lesson15.htm〉
【非特許文献４】松永あたる“写真講座テーマ１９構図とフレーミング・・黄金比  間を生かす”、［ｏｎｌｉｎｅ］［平成１９年４月３日検索］インターネット〈ＵＲＬ：http://www16.ocn.ne.jp/~aru777/theme_19.html〉
【非特許文献５】“ページレイアウト／ＷｅｂＭａｓｔｅｒへの道  Ｐａｒｔ１３”、［ｏｎｌｉｎｅ］［平成１９年４月３日検索］インターネット〈ＵＲＬ：http://www.scollabo.com/banban/wbm/wbm_13.html〉
【非特許文献６】“「神聖モジュール」：黄金分割フレームの内部数値一覧、”、［ｏｎｌｉｎｅ］［平成１９年４月３日検索］インターネット〈ＵＲＬ：http://www5a.biglobe.ne.jp/~pyramid/sinsei.htm〉
【発明の開示】
【発明が解決しようとする課題】
【０００７】
しかしながら、対象物の構図を検討する際に、黄金比が適合する場合と、白銀比が適合する場合とがあり、どちらを用いるか判断が容易でない場合もある。このような場合に、いずれか一方あるいは両方を簡単に選んで構図を検討することが望まれる。
【０００８】
また、黄金比や白銀比は、矩形、三角形等の図形により表されており、対象とする構図によっては、矩形の比を中心に検討したり、三角形の比を中心に検討したりする場合が生じるが、一枚のプレートに全部の図形が描いてある場合は、対象物の構図を観察・検討する作業が煩雑になることもあった。
【０００９】
本発明は、このような事情に鑑みてなされたものであり、美術品、建造物、自然物、並びに写真などの構図を、黄金比または白銀比のいずれかあるいは両方を用いて容易に検討・観察することができるツールを提供することを目的とする。
【課題を解決するための手段】
【００１０】
上記課題を解決するために、本発明に係る構図検討プレートは、黄金比を描いた黄金比プレート、白銀比を描いた白銀比プレート、そして、黄金比プレート及び白銀比プレートの中心が重なるように合わせること或いは連結することによって、黄金比及び／又は白銀比を用いて構図を検討・観察するプレートを提供する。
【００１１】
本発明に係る構図検討プレートの一態様は、黄金比のスケール又は白銀比のスケールを透明なプレートへ描いたスケールプレートと、少なくとも一枚の前記スケールプレートを嵌め込む凹部を形成した透明な基板プレートと、を備え、前記スケールプレートは、前記凹部内で回転することを特徴とする。
【００１２】
また、本発明に係る構図検討プレートの一態様において、前記スケールプレートは、黄金比のスケール及び白銀比のスケールを描いた二枚のスケールプレートであり、前記凹部は、前記二枚のスケールプレートを嵌め込むことを特徴とする。
【００１３】
さらに、本発明に係る構図検討プレートの一態様において、前記スケールプレートは、例えば平面視で円形または多角形の形状であり、前記凹部は、嵌め込んだ前記スケールプレートを回転させることができる形状を有することを特徴とする。
【００１４】
本発明に係る構図検討プレートの一態様において、前記基板プレート又は前記スケールプレートの少なくとも一方は、前記凹部の近傍に角度を示す目盛を有することを特徴とする。
【００１５】
本発明に係る構図検討プレートの一態様において、前記スケールプレートは、黄金比のスケール又は白銀比のスケールを描いた一枚のスケールプレートであり、前記凹部は、白銀比のスケール又は黄金比のスケールであって前記スケールプレートに描かれていないスケールが描かれ、前記スケールプレートを嵌め込むことを特徴とする。
【００１６】
本発明に係る構図検討プレートの一態様において、前記スケールプレートを前記凹部に嵌め込んだときに黄金比のスケール及び白銀比のスケールの中心が互いに重なるように描かれていることを特徴とする。
【００１７】
また、本発明に係る構図検討プレートの別の一態様は、透明なプレートに黄金比のスケールが描かれた黄金比プレートと、透明なプレートに白銀比のスケールが描かれた白銀比プレートと、前記黄金比プレート及び前記白銀比プレートを、それぞれのスケールの中心が重なるようにこれらのプレートを連結する連結手段と、を備える。
【００１８】
本発明に係る構図検討プレートの別の一態様において、前記黄金比プレート及び前記白銀比プレートは、これらのプレートの外周の形状がほぼ等しく、前記連結手段は、前記黄金比プレート及び白銀比プレートを嵌め込むことが可能な凹部を備える透明な基板プレートであることを特徴とする。
【００１９】
本発明に係る構図検討プレートの別の一態様において、前記連結手段は、前記黄金比プレート及び前記白銀比プレートを締め具により止めることを特徴とする。
【００２０】
本発明に係る構図検討プレートの別の一態様において、前記連結手段は、前記黄金比プレート又は前記白銀比プレートのいずれか一方のプレートは形成された凸部を備え、この凸部を嵌めこむ凹部または穴を他方のプレートが備えることを特徴とする。
【００２１】
本発明に係る構図検討プレートの一態様において、前記黄金比プレートの黄金比のスケールの色と、前記白銀比プレートの白銀比のスケールの色とは異なることを特徴とする。
【発明の効果】
【００２２】
本発明によれば、美術品、建造物、自然物、並びに写真などの構図を、黄金比または白銀比のいずれかあるいは両方を用いて容易に検討・観察することが可能になる。
【発明を実施するための最良の形態】
【００２３】
次に、本発明の実施の形態について、図面を参照しながら説明する。各図面において同一の構成または機能を有する構成要素および相当部分には、同一の符号を付し、その説明は省略する。
【００２４】
（実施の形態１）
本実施の形態では、基板プレートに黄金比プレートと白銀比プレートとを設置して使用する構図検討プレートの一態様を説明する。
【００２５】
図１Ａから１Ｆは、本発明に係る実施の形態１の構図検討プレート１ａの一例を示す図であり、図１Ａは基板プレート２ａ、図１Ｂは基板プレート２ａのＡ１−Ａ１断面図、図１Ｃは黄金比プレート３ａ、図１Ｄは白銀比プレート４ａをそれぞれ示し、図１Ｅは基板プレート２ａへ黄金比プレート３ａと白銀比プレート４ａとを嵌め込んだ構成検討プレート、図１Ｆは図１Ｅに示す構成検図プレート１ａのＡ２−Ａ２断面図を示す図である。図１Ａから１Ｆに示すように本実施の形態の構図検討プレート１ａは、基板プレート２ａ、黄金比プレート３ａ、白銀比プレート４ａとから構成される。以降の説明では、黄金比プレート３ａと白銀比プレート４ａのいずれかあるいは両方を示すときに「スケールプレート」ともいう。基板プレート２ａは、透明なプレートに凹部２１ａを有し、凹部２１ａは黄金比プレート３ａと白銀比プレート４ａとを嵌め込むことができる大きさであり、図１Ａから１Ｆでは凹部２１は上面視で円形となっている。凹部２１ａに形成される窪みの深さは、少なくとも二枚のスケールプレートを嵌め込むことができる深さ、すなわちプレート二枚分の厚さがあることが好ましい。
【００２６】
黄金比プレート３ａ並びに白銀比プレート４ａは、ポリカーボネート、アクリル等の合成樹脂の透明なプレートに黄金比及び／又は白銀比のスケールをそれぞれ描いたものである。このスケールは、黄金比（又は白銀比）の間隔で配置されたポイントを、線分で結合させたもので、スケールには、これらのポイント及び線分が透明なプレート上で、肉眼で識別できるように描かれる。例えば、罫書き針で凹凸を付ける、又は、インク等により描くことによりスケールを作ることができる。図１Ａから１Ｆでは黄金比プレート３ａと白銀比プレート４ａとは円形であり、凹部２１ａの円形の窪みに嵌め込まれる。本実施の形態ではスケールプレートの形状は凹部２１ａに嵌め込むことができる形状であることが必要である。図１Ａから１Ｆの例では、円形の他、凹部２１ａの内周より小さい多角形（例えば１２角形、８角形など）であってもかまわない。また、黄金比プレート３ａと白銀比プレート４ａとを凹部２１ａに嵌め込んだときに二つのスケールが中心で重なるようにそれぞれのプレートにスケールを描くようにする。このような位置関係については後述する。
【００２７】
次に、スケールプレートに描く黄金比と白銀比のスケールの描き方について説明する。図２Ａ及び２Ｂは、スケールの比率を説明する図であり、図２Ａは黄金比のスケール、図２Ｂは白銀比のスケールを示したものである。図２Ａに示すように、点Ａ、Ｂ、Ｃ、Ｄが直線上に、ＡＢ：ＡＣ：ＡＤ＝０．６１８：１：１．６１６８となるように配置されている。即ち、黄金比によって、ＡＢ：ＡＣ：ＡＤが０．６１８ｘ：ｘ：１．６１６８ｘ（ｘは任意の正の数）となっている。ここで、ＡＤを一辺とする正方形を描けば、点Ａ及びＤからそれぞれ鉛直上向きに隣合う辺がそれぞれＡＤと同じ長さだけ伸びる。それぞれの線分における長さの比から、点Ｂ、Ｃ、Ｄに相当する点をＢ’、Ｃ’、Ｄ’とすると、やはり、ＡＢ’：ＡＣ’：ＡＤ’＝０．６１８：１：１．６１６８となる。一方、他の一辺でも、点ｃ、Ｂ、Ａに相当する点をＣ’’、Ｂ’’、Ａ’’とすると、やはり、ＤＣ’’：ＤＢ’’：ＤＡ’’＝０．６１８：１：１．６１６８となる。スケールプレートに描かれる線分は、これらの点Ａ、Ｂ、Ｃ、Ｄ、Ｂ’、Ｃ’、Ｄ’、Ａ’’、Ｂ’’、Ｃ’’を結んだ直線である。
【００２８】
また、図２Ｂに示すように、点Ｅ、Ｆ、Ｇ、Ｈが直線上に、ＥＦ：ＥＧ：ＥＨ＝０．４１４：１：１．４１４となるように配置されている。即ち、白銀比によって、ＥＦ：ＥＧ：ＥＨが０．４１４ｘ：ｘ：１．４１４（ｘは任意の正の数）となっている。ここで、ＥＨを一辺とする正方形を描けば、点Ｅ及びＨからそれぞれ鉛直上向きに隣合う辺がそれぞれＥＨと同じ長さだけ伸びる。それぞれの線分における長さの比から、点Ｆ、Ｇ、Ｈに相当する点をＦ’、Ｇ’、Ｈ’とすると、やはり、ＥＦ’：ＥＧ’：ＥＨ’＝０．４１４：１：１．４１４となる。一方、他の一辺でも、点Ｇ、Ｆ、Ｅに相当する点をＧ’’、Ｆ’’、Ｅ’’とすると、やはり、ＨＧ’’：ＨＦ’’：ＨＥ’’＝０．４１４：１：１．４１４となる。スケールプレートに描かれる線分は、これらの点Ｅ、Ｆ、Ｇ、Ｈ、Ｆ’、Ｇ’、Ｈ’、Ｅ’’、Ｆ’’、Ｇ’’を結んだ直線である。以上のような比率で各ポイントを直線で接続してスケールを作成する。また、各スケールプレートの中心がわかり易いように対角線を描くことが好ましい。
【００２９】
また、黄金比と白銀比とを重ねる場合、黄金比と白銀比との中心が重なるようにする。また、構図を検討する際には、対角線を一致させて、二つのスケールプレートを用いると、矩形あるいは三角形のスケールが同じ方向に重なるため、両方の比を用いて構図を検討する場合には検討しやすい。従って、本実施の形態では、基板プレート２ａの凹部２１ａに二つのスケールプレートを嵌め込んで重ねたときに、黄金比及び白銀比の中心が重なるように黄金比プレート３ａ及び白銀比プレート４ａに黄金比及び白銀比をそれぞれ描く。黄金比及び白銀比のスケールは、対角線の中心を会わせて重ね、対角線を一致されて矩形あるいは三角形の形状が同じ方向に描かれるように重ね合わせる。このように、スケールプレートに描かれている黄金比と白銀比それぞれのスケールの対角線を重ね合わせることによって二つのスケールを合成する。
【００３０】
次に、利用者が本実施の形態の構図検討プレート１ａを用いる場合の手順について説明する。利用者は、まず基板プレート２ａの凹部２１ａに所望のスケールプレートを嵌め込む。黄金比プレート３ａあるいは白銀比プレート４ａのいずれか一方を用いて構図を検討したい場合はいずれか一方を嵌め込み、両方合わせたスケールで構図を検討したい場合は、両方を嵌め込んで使用する。凹部２１ａに嵌め込んだスケールプレートは、凹部内で回転可能になっており、構図を検討する対象物に合わせてスケールを回転させることができる。黄金比プレート３ａと白銀比プレート４ａの重ね方は上述したとおりである。
【００３１】
利用者は、黄金比のスケールで対象物を検討したい場合、黄金比プレート３ａ嵌め込んだ基板プレート２ａを対象物へ翳し、白銀比のスケールで対象物を検討したい場合、白銀比のスケール４ａを嵌め込んだ基板プレート２ａを対象物へ翳す。さらに、黄金比及び白銀比を合わせたスケールで対象物を検討したい場合、黄金比プレート１０及び白銀比プレート２０を嵌め込んだ基板プレート２ａを対象物に翳す。
【００３２】
図３Ａから３Ｆは、スケールプレートを操作しやすいように工夫した基板プレートの一例を示す図である。図３Ａは凹部２２ａに穴２３ａを空けた基板プレート２ａの上面図である。図３Ｂは図３Ａに示す基板プレート２ａのＡ３−Ａ３断面図である。図３Ｃは段差のある穴２４ａを空けた基板プレート２ａの上面図である。図３Ｄは図３Ｃに示す基板プレート２ａのＡ４−Ａ４断面図である。図３Ｅは正多角形の凹部２５ａを設けた基板プレート２の上面図である。図３Ｆは図３Ｅに示す基板プレート２ａのＡ５−Ａ５断面図である。
【００３３】
図３Ａ及び３Ｂに示すように、二つのスケールプレートを凹部２２ａに嵌め込んだときに二つのスケールプレートそれぞれを回転させやすいように、凹部２２ａの一部分に穴を空け、予め凹部２２ａに嵌め込んだスケールプレートを穴２３ａから指で容易に押さえられるようにする。これによって、二つのスケールプレートのそれぞれを容易に回転させることができる。穴２３ａは、凹部２２ａ内の黄金比及び／又は白銀比のスケールを描く線に影響のない（スケールを描く線と穴の位置が重ならない）位置に空けることが好ましい。また、この穴を利用すれば、凹部２２ａに嵌め込んだスケールプレートを取り出しやすくすることができる。例えば、穴にピンを挿入し、引っかけて取り出すことができる。
【００３４】
また、図３Ｃ、３Ｄに示すように凹部２２ａに代えてプレートを載せることができる段差を設けた穴２４ａを空けることもできる。穴２４ａは、基板プレート２ａを貫通するスケールプレートの大きさより小さい穴を設け、さらに、スケールプレートが嵌め込めるような段差（ステップ）を周辺に含む凹部を形成し、スケールプレートを形成された段差に載せるようにすることができる。この段差を有する穴２４ａにより、スケールプレートは基板プレート２ａの両側から操作が容易なものとなる。
【００３５】
さらに、図３Ｅ、３Ｆに示すように凹部の形状を正多角形にすることもできる。凹部２５ａは正多角形であり、図３Ｅでは正１２角形の例を示しているが、正１６角形、正８角形、正６角形、正方形その他の正多角形であってもよい。また、黄金比プレート３ａ及び白銀比プレート４ａを凹部２５ａに挿入可能な形状（例えば、同一形状であってやや小さく隙間バメで挿入可能な形状）として凹部２５ａに嵌め込めるようにする。そして、黄金比プレート３ａ及び白銀比プレート４ａを嵌め込む際に、いわゆる回転位置（又は回転角度）を調節し、二つのプレートの対角線が重なるように嵌め込む。これにより、二つのスケールプレートを対角線が重なるように嵌め込むことができる。また、図３Ｅに示す基板プレート２ａは、図３Ａに示すような穴２３ａを設けてもよい。
【００３６】
また、所望の角度をつけてスケールプレートを設置することができるように、上記基板プレート２ａの凹部２２ａ、２５ａや穴２４ａ並びにスケールプレートは、平面視で円形あるいは正多角形としたが、これに限らない。例えば、プレートの回転位置（角度）を細かく調整する必要のない場合には、長方形などであってもよい。
【００３７】
また、例えば、凹部２２ａの周を正多角形（四角形以上の多角形）にし、スケールプレートを凹部２２ａの周と同じの正多角形にし、スケールプレートを回転させたい場合に、多角形の角度の単位で回転させるようにすることもできる。このようにした場合、回転したい角度を予め選択してスケールプレートを嵌め込むことになる。しかしながら、円形の凹部２１ａの場合に比べると、スケールプレートを一旦嵌め込めば、スケールプレートの回転位置がずれ難いというメリットがある。従って、特に二つ以上のスケールプレートが用いられる場合、円形であれば、それぞれのプレートに移動の自由度があり、二つのスケールの回転位置がずれ易くなるところ、これを効果的に防止することができる。
【００３８】
このように、本実施の形態によれば、所望のスケールを基板プレートに嵌め込むことによって、黄金比又は白銀比のいずれか一方、あるいは黄金比及び白銀比の両方のスケールを用いて構図を検討することができる。特に、両方のスケールを同時に用いることが極めて容易となる。即ち、二つの異なるスケールを重ねて用いることが容易になり、黄金比、白銀比、黄金比及び白銀比の組合せ等に基づいて構図を容易に検討することができる。
【００３９】
（実施の形態２）
本実施の形態では、基板プレートにいずれか一方のスケールが描いてある場合について説明する。
【００４０】
図４Ａから４Ｅは、本発明に係る実施の形態２の構図検討プレート１ｂの一例を示す図である。図４Ａは、基板プレート２ｂの平面図である。図４Ｂは基板プレート２ｂのＢ１−Ｂ１断面図である。図４Ｃは白銀比プレート４ｂの平面図である。図４Ｄは基板プレート２ｂに白銀比プレート４ｂが嵌め込まれた構図検討プレートの平面図である。図４Ｅは図４Ｄに示す構図検討プレート１ｂのＢ２−Ｂ２断面図である。図４Ａから４Ｅに示すように本実施の形態の構図検討プレート１ｂは、基板プレート２ｂ及び白銀比プレート４ｂから構成される。基板プレート２ｂは、透明なプレートに凹部２１ｂを備える。凹部２１ｂは白銀比プレート４ｂを嵌め込むことができる大きさ及び形状を有する。図４Ａでは、この凹部は平面視で円形を呈する。窪みの深さは、少なくとも一枚のスケールプレートを嵌め込むことができる深さを有することが好ましい。例えば、嵌め込まれるプレートの一枚分の厚さと実質的に同じ若しくはより深いことが好ましい。このように、円形の凹部２１ｂに白銀比プレート４ｂ（及び／又は黄金比プレート）を嵌め込んだ場合、白銀比プレート４ｂはこの円形の凹部２１ｂの縁（又は外周）に沿って回転することができる。従って、白銀比プレート４ｂを回転させながら、構図を検討する場合であっても、白銀比の中心が基板プレート２ｂの例えば中心に対してずれることがない。そのため、構図検討をより容易に行うことができる。更に、白銀比プレート４ｂ及び基板プレート２ｂの互いの中心位置を固定するために、それぞれの中心となる中央部に中心固定用の留め金等を配置する必要もない。この中心に置かれる留め金は通常金属製であり、透明ではない。従って、この場合この留め金が構図を検討する絵画や写真等の中心部若しくはその近くに配置されることになるので、対象物が見え難くなりがちである。本実施例の構図検討プレートは、このような問題を効果的に防ぐことができる。
【００４１】
白銀比プレート４ｂは、透明なプレートに白銀比のスケールを描いたものである。図４Ｃに示される白銀比プレート４ｂは、その外形が平面視で円形である。従って、凹部２１ｂの円形の窪みに容易に嵌め込むことができる。凹部２１ｂの形状のその他の特徴は、上記実施の形態１と同様である。従って、凹部２１ｂは、平面視で多角形（４角形以上の多角形）であってもよい。例えば、白銀比プレート４ｂを、黄金比スケールが描かれる基板プレート２ｂの凹部２１ｂに嵌め込む場合、これらの描かれる黄金比及び白銀比のスケールがそれぞれの中心で重なる（例えば、中心を共通化する）ように、凹部２１ｂの形状と白銀比プレート４ｂの形状を決定することが望ましい。さらに、これらのスケールを描く位置を十分考慮することが好ましい。凹部２１ｂ内での白銀比プレート４ｂの回転中心と、白銀比スケールの中心がずれていた場合、回転によって、白銀比スケールの中心は、基板プレート２ｂに描かれた黄金比スケールの中心からずれていくからである。
【００４２】
白銀比プレート４ｂを基板プレート２ｂに嵌め込む場合は、基板プレート２ｂに描かれている黄金比スケールと白銀比スケールの重なり方に留意することが好ましい。白銀比プレート４ｂを凹部２１ｂに嵌め込んだ場合に、基板プレート２ｂに描かれている黄金比のスケール及び白銀比プレート４ｂの白銀比のスケールの対角線がそれぞれ重なるようにすると両スケールを含めて対象物の構図を検討しやすいからである。
【００４３】
また、図３Ａ、３Ｂ示すように凹部２１ｂに貫通孔を設けることによって、同様に白銀比プレート４ｂを操作しやすくできる。さらに、図３Ｅ、３Ｆに示すように凹部２１ｂの平面視の形状を正多角形へ変更することも可能である。これによる効果も上記実施の形態１と同様である。
【００４４】
このように、本実施の形態によれば、所望のスケールを基板プレートに嵌め込むことによって、黄金比又は白銀比のいずれか一方、あるいは黄金比及び白銀比の両方を用いて構図を検討することが容易になる。特に二つのスケールを重ねて用いる手順が容易になり、黄金比、白銀比、黄金比及び白銀比の組み合わせを用いて検討することが容易になる。また、上記実施の形態１に比べ、構図検討プレート１ｂを構成するプレートが少なくなるため、生産性が向上する。また、黄金比又は白銀比のいずれかを通常使用するスケールとして、基板プレートに直接描く場合は、嵌め込みスケール無しで検討後、さらに、他方のスケールを描いたプレートを嵌め込んで使用することができ、構図の検討がより容易となる。
【００４５】
なお、上記実施の形態では、基板プレート２ｂに黄金比が書かれている場合を説明したが、基板プレート２ｂは、白銀比が描かれている場合であってもよい。この場合、構図検討プレート１ｂは、白銀比プレート４ｂに代えて黄金比プレートを備えることになる。各構成要素の特徴や使用方法等については上記と同様であるため説明を省略する。
【００４６】
（実施の形態３）
本実施の形態では、基板プレートもしくはスケールプレートに角度を示す目盛を有する構図検討プレートの一態様を説明する。
【００４７】
図５Ａ及び５Ｂは、実施の形態３の基板プレート２ｃの一例を示す図であり、図５Ａは凹部２１ｃの外側に角度を示す目盛５をつけた基板プレート２ｃを示す図であり、図５Ｂは基板プレート２ｃの凹部２１ｃの内側に目盛５をつけた基板プレート２ｃを嵌め込んだもの示す図である。図５Ａ及び５Ｂに示す基板プレート２ｃは、図１Ａに示す基板プレート２ａと同様の形状のものを用いることができる。構図検討プレートの基本的な構成は図１示す構成と同様である。また、目盛５は、図３Ａに示す基板プレート２ａにつけることも可能である。このように、本実施の形態は図１、図３Ａに示す構図検討プレートに適用することができる。図５Ａ及び５Ｂでは、基板プレート２ｃの円形の凹部２１ｃの周の一部分に沿うように目盛５がつけられているが、凹部２１ｃの周全体に沿って目盛５をつけてもよい。
【００４８】
基板プレート２ｃのように目盛５を設けることによりスケールプレートの回転角度が分かりやすくなる。従って、１５度、３０度等のように角度を決めて回転をさせることができる。
【００４９】
また、図６は、実施の形態３のスケールプレート６の一例を示す図であり、目盛５をつけた多角形のスケールプレート６の一例を示す図である。図６に示す目盛５は、分度器等の目盛を利用しており、目盛を示す線の長さを変えて目盛を分かりやすくしている。図６では正１２角形のスケールプレートを示しているがこれに限られることはなく、その他の正多角形へ適用することも可能であるし、円形のスケールプレートに適用することも可能である。なお、図６に示すスケールプレートには黄金比または白銀比のスケールを描いてないものを示しているが、このスケールプレートには、中心位置を合わせて、図２Ａ及び２Ｂに描かれる黄金比及び／又は白銀比のスケールを描いてもよい。また、目盛５をスケールプレート６の一部分につけた例を示しているが全体につけてもかまわない。
【００５０】
図５Ａ又は５Ｂの基板プレート２ｃ並びに図６のスケールプレート６の使用方法は基本的に図１の構図検討プレート１ａと同様であるが、目盛を用いてプレートの傾きを把握できる点が異なる。構図を検討する場合、各スケールを複数種類の角度で傾けて（スケールプレートを回転させて）構図に合うスケールの位置を探しながら構図を検討する。このような場合、どのくらいの角度を傾けるとよいか、経験則で判断できる場合や、候補になる傾きの角度がある場合がある。このような場合に、本実施例ではスケールプレートを回す角度を容易に把握できるので、構図を検討する手順が容易になる。
【００５１】
また、図３Ｅ及び３Ｆに示した凹部とスケールプレートの形状が多角形の場合、例えば１２以上の多角形にする等して、外周の一辺の長さを短くすることができる。このとき、クリアランスを十分とれば、多角形の外周の一辺の単位で、回転の易難が生じるので、スケールプレートの回転が一辺単位となり、手動の位置決めがより容易となる。また、所定の角度の回転を容易に達成することができる。ここで、所定の角度は、一辺両端とスケールプレート中心とを結んだ三角形の頂点に形成される角度であり、多角形の角度の数で３６０度を割った値となる。
【００５２】
（実施の形態４）
実施の形態４では、基板プレート以外の連結手段で二つのプレートを連結する一態様を説明する。
【００５３】
図７Ａから７Ｃは、実施の形態４の構図検討プレート１ｄの一例を示す図である。図７Ａ及び７Ｂに示す構図検討プレート１ｄは、黄金比のスケールが描かれた黄金比プレート３ｄと、白銀比が描かれた白銀比プレート４ｄと、黄金比プレート３ｄ及び白銀比プレート４ｄを重ね合わせて連結する連結手段としての締め具７ｄとを備える。黄金比プレート３ｄや白銀比プレート４ｄは、例えば、ポリカーボネートやアクリル等の合成樹脂の透明なプレートに、それぞれ黄金比や白銀比のスケールを描いたものである。ポリカーボネートは、強度が高く、傷つきにくいため、より好ましい。透明なプレートの形状は、正方形の形状であり、正方形の外周に沿ってスケールが描かれてない余白部分があり、余白部分に連結手段の締め具７ｄが取り付けられている。図７Ａは、二つのプレートを別々に用いる状態を示すものであり、二つのプレートが締め具７を起点にそれぞれのプレートが回転して離れた状態になり、黄金比と白銀比それぞれのスケールが見える状態である。図７Ｂは、二つのプレートを重ね合わせた状態であり、黄金比と白銀比のスケールが重なって見える状態である。図７Ｃは、締め具７ｄの一例を示している。
【００５４】
プレートの形状は、必ずしも正方形である必要はなく、黄金比または白銀比の正方形の外周を持つスケールが描けるものであればよく、正方形以外の多角形であってもよいし、円、楕円等のプレート内に正方形のスケールを描いてもかまわない。あるいは、相似形でないプレートであってもよい。プレートの形状・大きさは、スケールが描かれている領域の外側に占め具を取り付ける領域や、対象物にプレートをかざす時に手で挟む（持つ）領域が確保されることが好ましい。
【００５５】
締め具７ｄは、黄金比プレート３ｄと白銀比プレート４ｄそれぞれへ形成した穴に通して二つのプレートを回転自在に止めるものである。図７Ｃには、内径の異なる円筒形に蓋部分が取り付けられものを穴に通し、相互に挟み込んで二つのプレートを止めるものを一例として示している。これに限らず、プレートに形成した穴よりやや小さい外形を有する円筒形のものを挿通させ、円筒形の両端部を外側に開いてフランジ状にして穴から抜け出さないようにしたものであってもよい。締め具７ｄは、少なくとも二つのプレートを繋ぎ、それぞれのプレートが回転自在になる状態を維持するものであればよい。
【００５６】
図７Ａ及び７Ｂに示す構成検討プレートでは、締め具７ｄによって、二つのプレートを分離しないように繋ぎ、正方形の四辺か一致するように重ねることにより、黄金比と白銀比のスケールが重なり合う。また、それぞれのスケールを描いたプレートが独立していることにより、黄金比のみ利用したい場合や白銀比のみを利用したい場合はそれぞれが描かれたスケールを用いることが可能になる。
【００５７】
黄金比プレート３ｄ及び白銀比プレート４ｄにスケールを描く場合、二つのスケールプレートを重ね合わせたときに黄金比と白銀比のスケールプレートが、それぞれの中心位置で重なるように、これらのスケールを描くことが好ましい。特に、対角線が交わる中心だけでなく、対角線自身がそれぞれ重なり合うようにすることがより好ましい。また、スケールプレートが正多角形や円形の場合、スケールプレートの外周に目盛をつけることによってスケールの傾きを把握することが容易になる点も上記各実施の形態と同様である。
【００５８】
また、プレートに持ち手部分（把持部分）を備えていてもよい。図８Ａ及び８Ｂは、持ち手部分を有する構図検討プレートの一例を示す図である。図８Ａ及び８Ｂに示す構図検討プレート１ｅは、黄金比のスケールが描かれた黄金比プレート３ｅと、白銀比が描かれた白銀比プレート４ｅと、締め具７ｅを備える。図８Ａは、二つのプレートを別々に用いる状態を示すものである。二つのプレートが締め具７ｅを起点にそれぞれ回転して互いに離れた状態になると、黄金比及び白銀比のスケールが別々に見ることができる状態となる。図８Ｂは、二つのプレートを重ね合わせた状態であり、黄金比と白銀比のスケールが重なって見える状態である。
【００５９】
黄金比プレート３ｅと白銀比プレート４ｅは、プレートの外周の一部分が突出して、持ちやすい形状になっている持ち手部３１ｅ、４１ｅを備える。持ち手部３１ｅ、４１ｅの一部分に穴が形成され、締め具７ｅが黄金比プレート３ｅと白銀比プレート４ｅとを連結している。締め具７ｅは、図７と同様である。持ち手部３１ｅ、４１ｅの形状は手のひらに握りやすい形状、あるいは指で挟みやすい形状とし、二つのプレートを重ねたときにずれにくくする。
【００６０】
また、プレートを対象物に翳すときに持ちやすくなり、また、プレートがぶれることを抑える。また、持ち手部３１ｅ、４１ｅを備え、締め具７ｅが持ち手部３１ｅ、４１ｅの端部に配置されていることにより、一方のプレートを使用する場合に、一方のプレートのみの持ち手部３１ｅ、４１ｅを挟むことが可能になり持ちやすくなる。特に、図８Ａ及び８Ｂでは、プレートの一部を持つ場合に、締め具７ｅや他方のプレートが重なる部分を持つことになり、他方のプレートが手のひらにかかることなどにより持ちにくい場合も発生していたが、この点が改善される。
【００６１】
このように、手の指または手のひらによって持ち手部３１ｅ、４１ｅを挟むため、持ちやすく、さらに、二つのプレートを重ねたときに二つのプレートがずれにくく、対象物に合わせる動作も容易になり、プレートがぶれにくくなる。
【００６２】
次に、スケールプレートに凹凸を設けることにより、二つのスケールプレートを連結する場合を説明する。図９Ａから９Ｅは、スケールプレートに凹凸を設けて連結する構図検討プレート１ｆの一例を示す図である。図９Ａは黄金比プレート３ｆの正面図である。図９Ｂは図９Ａに示す黄金比プレート３ｆの側面図である。図９Ｃは白銀比プレート４ｆの正面図である。図９Ｄは図９Ｃに示す白銀比プレート４ｆの側面図である。図９Ｅは黄金比プレート３ｆと白銀比プレート４ｆとを連結した状態の構図検討プレート１ｆを示す図である。図９Ｅに示す構図検討プレート１ｆは、黄金比のスケールが描かれた黄金比プレート３ｆと、白銀比が描かれた白銀比プレート４ｆと、連結手段として凸部３２ｆ、４２ｆと、穴３３ｆ、４３ｆを、それぞれ黄金比プレート３ｆと白銀比プレート４ｆに形成されている。二つのプレートを別々に用いる場合は、図９Ａ及び９Ｂに示すスケールシートを別々に持って使用する。二つのスケールを重ねて使用する場合は、図９Ｅに示すように二つのプレートを重ね合わせて使用する。図９Ｅに示すように、図９Ａに示す黄金比プレート３ｆと図９Ｃに示す白銀比プレート４ｆとを、凸部３２ｆと穴４３ｆ、穴３３ｆと凸部４２ｆとを嵌め込んで黄金比プレート３ｆと白銀比プレート４ｆとを重ねて固定する。
【００６３】
尚、図９Ａから９Ｅではそれぞれのプレートに凸部と穴が形成されている場合を示しているが、一方のプレートに凸部のみを形成し、他方のプレートに穴のみを形成してもよい。また、形成する凸部と穴の組み合わせの数は、少なくとも１以上であればよく、翳して見ることができる限りは特に限定されない。
【００６４】
また、凸部は、穴の深さより深くすると取り外す際に凸部の先端を押さえることができるため外しやすくなる。また、凸部と穴のサイズ関係は、簡単に外れない程度の中間バメが好ましい。穴の代わりに凸部を嵌め込む窪み（凹部）を形成してもよい。
【００６５】
凸部、穴は、プレートの合成樹脂を加工する際に形成する。また、プレートがばらばらになったり紛失したりするのを防ぐために両プレートに穴を開け、その穴に１本の紐を通して付けてもよい。
【００６６】
このように、凸部と穴とにより二つのプレートを固定するため、重ね合わせたプレートがずれることを防止できる。また、二つのプレートを重ね合わせて対象物を検討する際に、プレートを持ち替えるたびにずれることを防止できる。特に、二つのプレートを重ねた状態で検討する時間が長い場合に有効である。
【００６７】
なお、図９Ａから９Ｅに示す凸部と穴との組み合わせを図１に示す構図検討プレート１ａの黄金比プレート３ａと白銀比プレート４ａに適用することも可能であり、特に円形のスケールプレートの場合には二つのスケールプレートを重ね合わせる操作が容易になり、重ね合わせたあとのずれが生じにくくなる。
【００６８】
次に、スケールプレートを溝に嵌め込んで連結する場合を説明する。図１０Ａ及び１０Ｂは、溝を有するプレート把持部により二つのスケールプレートを連結する構図検討プレートの一例を示す図である。図１０Ａは矩形のスケールプレートを嵌め込むプレート把持部８ｇを示す図である。図１０Ｂは正８角形のスケールプレートを嵌め込むプレート把持部８ｈを備える構図検討プレートを示す図である。
【００６９】
図１０Ａ及びＢに示す構図検討プレート１ｇ、１ｈは、黄金比のスケールが描かれた黄金比プレート３ｇ、３ｈと、白銀比が描かれた白銀比プレート４ｇ、４ｈと、連結手段としてプレート受け部８１ｇ、８１ｈと持ち手部８２ｇ、８２ｈとからなるプレート把持部８ｇ、８ｈを備える。把持部８ｇ、８ｈにおいて、プレート受け部８１ｇ、８１ｈは、プレートを溝に嵌め込み二つのスケールプレートを連結し、持ち手部８２ｇ、８２ｈは、プレート受け部８１ｇ、８１ｈを支え、利用者がプレートを所望の位置に移動させるために持つ部分である。プレート受け部８１ｇ、８１ｈはスケールプレートを嵌め込むことができればよいが、スケールプレートの形状に合わせた溝を有することが好ましく、スケールプレートを安定して連結することができる。
【００７０】
プレート受け部８１ｇ、８１ｈは、溝へスケールプレートを嵌め込むが、溝の大きさ（太さ）を調整することにより嵌め込むスケールプレートの数を調整することが可能である。また、プレート把持部８ｇ、８ｈは、クリップや洗濯バサミなど複数のスケールプレートを挟んで固定できる手段で代用することも可能である。
【００７１】
図８Ａから図１０Ｂでは、黄金比プレートと白銀比プレートは基本的に矩形の場合を用いて説明したが、多角形、円形その他の形状であっても良いことは図７Ａ〜７Ｃのところで説明した通りである。
【００７２】
（実施の形態５）
上記各実施の形態では、黄金比プレート、白銀比プレートともにスケールを全部描いた場合を示していたが、黄金比、白銀比の各スケールの一部分を用いて構図を検討することもできる、あるいは一部分のスケールを用いて構図を検討した方が判りやすい場合もある。このような場合に対応するため、スケールの一部分を描く一態様を説明する。
【００７３】
図１１Ａから１１Ｉは、本実施の形態のスケールプレートの一例を示す図である。図１１Ａは矩形を抽出した黄金比のスケールを示す図である。図１１Ｂは矩形を取り除いた黄金比のスケールを示す図である。図１１Ｃは、４本の線分を抽出した黄金比のスケールを示す図である。図１１Ｄは矩形を抽出した白銀比のスケールを示す図である。図１１Ｅは矩形を取り除いた白銀比のスケールを示す図である。図１１Ｆは４本の線分を抽出した白銀比のスケールを示す図である。図１１Ｇは矩形を抽出した黄金比と白銀比のスケールを重ねたものを示す図である。図１１Ｈは矩形を取り除いた黄金比と白銀比のスケールを重ねたものを示す図である。図１１Ｉは４本の線分を抽出した黄金比と白銀比のスケールを重ねたものを示す図である。
【００７４】
上記各実施形態のスケールプレートは、各図で示したものに代えて図１１Ａから１１Ｉに示したスケールプレートを用いることができる。また、図１１Ａと１１Ｄを重ねたイメージは図１１Ｇとなる。また、図１１Ｂと１１Ｅを重ねたイメージは図１１Ｈとなる。また、図１１Ｃと１１Ｆを重ねたイメージは図１１Ｉとなる。
【００７５】
また、図１１Ａから１１Ｉに示したものの他にも、矩形あるいは三角形の線を点線や一点鎖線など直線以外の線に変えてもよいし、矩形あるいは三角形の線の色を変えて目立つようにしてもよい。矩形や三角形のスケールに限ることなく、構図を検討する場合に特に注目したいスケールの線について色を変えたりしてもよい。
【００７６】
スケールプレートの線は、一般に、いわゆる罫書き線のように、表面に傷をつけて、その表面の反射率の違い、又は、凹凸から生じる影等により描くことができる。また、いわゆるペンキ等の塗料により描いてもよい。また、スケールプレートの線に着色する方法としては、スケールを描くときに異なる色を用いる場合、スケールをプレートに描く場合にプレートに溝を形成してスケールを描き、形成した溝に着色物を挿入する場合などが考えられる。プレートに溝を形成する場合は、プレートにニードルなどによって溝を形成し、着色物として色鉛筆やクレヨンなど利用者が身近に入手可能なものを用いることもできる。また溝に入れ込んだ着色物は洗い流すことによって取り除くことも可能であり、着色を自在に実施することもできる。このように構図を検討する用途に応じて着色を変更することもできる。
【００７７】
（構図検討の実施例）
具体的に黄金比、白銀比あるいは両方のスケールを絵画に当てた例を示す。
【００７８】
図１２Ａから１２Ｆは、黄金比のスケールを用いて構図の変更を検討する一例を示す図である。図１２Ａ、１２Ｃ、１２Ｅは変更前の構図を示す図である。図１２Ｂ、１２Ｄ、１２Ｆは変更後の構図を示す図である。図１２Ａでは左側の指（絵の人物の右手の人差し指）の先端はスケールに描かれた線上から外れた位置に配置されている。一方、図１２Ｂでは左側の指の先端は、スケールに描かれた線上となる位置に配置されている。この両者の絵を比べれば、図１２Ｂの方が構図的により高い安定性となることがわかる。従って、このような配置の変更により構図の安定が増すことがわかる。図１２Ｃ及び１２Ｄにおいて、黄金比のスケールを４５度回転させて同様に検討する。このスケールの合わせ方では、帽子の記章に種々の線が交わる交点を合わせ、そのまま鉛直に鼻筋を通している。このような合わせ方をするのは、帽子の記章がこの絵の注目点となるからである。図１２Ｃを見れば、絵の人物が指さしている人差し指の先端が、向ってすぐ左隣の種々の線が交わる交点から外れていることがわかる。このようにもう一つの注目点となる人差し指の先端が、黄金比のスケールの種々の線が交わる交点からずれているため、構図的に必ずしも好ましくないことが分かる。一方、図１２Ｄでは、同様に黄金比のスケールを合わせると、絵の人物が指さしている人差し指の先端が、スケールにおける種々の線が交わる交点にぴったりと合致する。このため、図１２Ｄの絵の方が、構図的に安定性が高い。従って、こちらの構図の方が、より好ましいものであることが分かる。更に、図１２Ｅ及び１２Ｆにおいて、白銀比のスケールを用いて同様に構図を検討する。黄金比と同様な合わせ方をした場合、帽子の記章と、絵の人物が指さしている人差し指の先端の両方が、同時に種々の線が交わる交点に位置することがない。従って、白銀比のスケールで評価した場合、いずれの構図も好ましいとはいえない。即ち、白銀比的には、これらの絵は必ずしも好ましいものでは無いことがわかる。このように、白銀比を好ましいとする美的感覚において、いずれの絵の構図も好ましくなく、黄金比を好ましいとする美的感覚とのコントラストを明示的に示すことができるのである。従って、文化や歴史等様々な要因で形成されると考えられている美的感覚の差を、民族の違い、文化の違い等に起因する「なんとなく」という曖昧な表現ではなく、明確な差異としてとらえることが可能なのである。このような比較は、黄金比及び白銀比の両スケールを同時、若しくは、交互にチェック可能な本発明の実施例のようなものによって初めて容易にできることがわかる。
【００７９】
図１３Ａから１３Ｄは、天空の風神を描くような絵を示す図と、これに黄金比のスケール、白銀比のスケールをそれぞれ当てたそれぞれの図と、両方のスケールを当てた一例を示す図である。図１３Ａはスケールを当てる前の状態を示す基図である。図１３Ｂは標準位置から４５度回転させた黄金比のスケールを当てた状態を示す図である。図１３Ｃは同様に４５度回転させた白銀比のスケールを当てた状態を示す図である。図１３Ｄは標準位置の黄金比スケールと白銀比スケールとを重ねて当てた状態を示す図である。図１３Ａに示す基図では、円形状の部分に風神が描かれており、図１３Ｂに示すように黄金比のスケールの中心部の上方の種々の線が交わる交点を、この風神の頭部中心に当てると、その下方の種々の線が交わる交点が、この風神の手の風の吹き出し部に当てはまっている。また、図１３Ｃに示すように白銀比のスケールの中心部を、この風神の顎部に当てると、その上方の２本の直交線とその直交線を対称に分ける線が交わる交点が、この風神の円形状の部分の外周にほぼ当てはまり、その下方の同様な交点が、この風神の手の風の吹き出し部に当てはまっている。図１３Ｄに示すように黄金比スケールと白銀比スケールとの中心を重ねるとともに、それぞれの長さが異なる対角線をほぼ相似形に重ねたスケールを標準位置でその中心部を基図のほぼ中心である風神の左目に当てると、そのスケールの矩形枠内に風神の周りに描かれた雲状のものが当てはまっていることがわかる。また、その他の部分についても黄金比あるいは白銀比スケールの線に沿って描かれていることが見受けられ、調和の取れた構図となっていると判断できる。従って、このような絵は、黄金比を好ましいとする美的感覚であっても、白銀比を好ましいとする美的感覚であっても好ましいとされる構図を有していることがわかる。  
【００８０】
また、図１４Ａから図１７Ｃは、人物画および風景画の基図と、黄金比のスケール、白銀比のスケールそれぞれを当てた状態を示す図である。図１４Ａは、人物画にスケールを当てる前の状態を示す基図である。図１４Ｂは基図に標準位置から４５度回転させた黄金比のスケールを当てた状態を示す図である。図１４Ｃは同様に白銀比のスケールを当てた状態を示す図である。図１５Ａは、風景画にスケールを当てる前の状態を示す基図である。図１５Ｂは基図の一つの位置に標準位置の黄金比のスケールを当てた状態を示す図である。図１５Ｃは基図の他の位置に標準位置から４５度回転させた黄金比のスケールを当てた状態を示す図である。図１５Ｄは基図の一つの位置に標準位置の白銀比のスケールを当てた状態を示す図である。図１５Ｅは基図の他の位置に標準位置から４５度回転させた白銀比のスケールを当てた状態を示す図である。図１６Ａは、僧侶のような人物画にスケールを当てる前の状態を示す基図である。図１６Ｂは基図に標準位置から４５度回転させた黄金比のスケールを当てた状態を示す図である。図１６Ｃは基図に標準位置から４５度回転させた白銀比のスケールを当てた状態を示す図である。図１７Ａは、二人の人物画にスケールを当てる前の状態を示す基図である。図１７Ｂは基図を鏡面対称の位置に置き換えた図に、標準位置の黄金比のスケールを当てた状態を示す図である。図１７Ｃは同様な図に同様な白銀比のスケールを当てた状態を示す図である。
【００８１】
図１４Ｂでは、基図に黄金比のスケールの中心部を基図のほぼ中心である胸部に当てると、スケールの上方の種々の線が交わる交点がほぼ顎部に当たり、その上方の正方形の頂点を形成する２辺に沿うように頭部が配置され、該頂点の上方に位置する二等辺三角形の頂角をなす２辺の内側に顔部が配置される。図１４Ｃでは、基図に白銀比のスケールの中心点を図１４Ｂと同様に胸部に当てると、スケールの上方の正方形の頂点を形成する２辺に沿うように頭部が配置される。従って、この人物画では、黄金比を好ましいとする美的感覚おいて好ましいとされる構図を有していることがわかる。一方、白銀比での美的感覚おいて好ましいとされる情報は少ない。
【００８２】
図１５Ａにおいて、波間に浮かぶ富士を描いた風景画であるが、この波と富士との配置が好ましいか否かを検討する。ここで、この基図に黄金比ないしは白銀比のスケールをあてがう際にそれぞれのスケールがあてがわれる位置を異ならせている。図１５Ｂでは、黄金比のスケールの中心点を基図の波部の中央から左よりの部分に当てた状態が示されている。該スケールの種々の線が交わる交点を結んで形成される正方形の各頂点のうち、２つは画面の左端に位置し、１つは波部のほぼ中央に位置し、１つは波部の切れ目に位置している。そして、スケールの１つの矩形の頂点の位置に富士山が位置している。図１５Ｃでは、黄金比のスケールを基図の中央より右側で、富士山より右上方の空の部分に当てた状態が示されている。該スケールの水平方向の頂角を結ぶ水平線に沿う矩形の各頂点のうち、２つは画面の右端に位置し、種々の線が交わる交点の１つは、富士山の裾の右端に位置している。
【００８３】
図１５Ｄでは、白銀比のスケールの中心点を基図の波部の中央から左よりの部分に当てた状態が示されている。該スケールの中央部に形成される正方形の各頂点のうち、２つは画面の左端に位置している。図１５Ｅでは、白銀比のスケールを基図の中央より右側で、富士山より右上方の空の部分に当てた状態が示されている。該スケールの水平方向の頂角を結ぶ水平線に沿う矩形の各頂点のうち、２つは画面の右端に位置している。この図１５Ｄ、１５Ｅによる白銀比のスケールを用いたこの基図の配置の検討では、富士山と波との顕著な関係は見出せない。
【００８４】
図１６Ｂでは、黄金比のスケールの中心点を人物の顎部に当てた状態が示されており、該スケールの種々の線が交わる交点が人物の重心と思われる腹部に当てられており、一方、図１６Ｃでは、白銀比のスケールの同様な状態が示されており、該スケールの上方に頂角を有する三角形の内部にその２辺にほぼ沿って座った状態の人物が配置されている。しかしながら、これら黄金比および白銀比のスケールと人物画との間には著しく顕著な関係は見出せない。
【００８５】
図１７Ｂでは、黄金比のスケールの中心点を一方の人物が乗っている像の後脚部に当てた状態が示されており、図１７Ｃでは、白銀比のスケールを同様に当てた状態が示されている。図１７Ｂおよび１７Ｃにおいては、基図と黄金比および白銀比のスケールとのそれぞれの間には顕著な関係は見出せない。
【００８６】
以上、述べてきたように、本発明の実施例である構図検討プレートを用いれば、絵画のような絵や写真の構図について、善し悪しを、それぞれ異なる美的感覚を考慮しつつ、判断することができる。しかも、この構図検討プレートは、透かして見ることができる構成となっているため、その絵の大小にかかわらず、この構図検討プレートを持った手を眼から離してみたり、近づけてみたりすることにより、検討することができる。更に、単に印刷されたものの上の絵や写真だけでなく、自然界に存在する風景、建物、人物等を透かして見ることにより、その構図を検討することができる。従って、カメラのファインダー等に取り付けることにより、好ましい構図となったものについて、シャッターを押し写真とすることができるだけでなく、少しずつ構図にずれを持たせ、それぞれ構図の違いを具体的なスケールを基準として評価することも可能となる。
【図面の簡単な説明】
【００８７】
【図１Ａ】本発明の実施の形態１の構図検討プレートの基板プレートを示す図である。
【図１Ｂ】図１Ａの基板プレートのＡ１−Ａ１断面を示す図である。
【図１Ｃ】黄金比プレートを示す図である。
【図１Ｄ】白銀比プレートを示す図である。
【図１Ｅ】基板プレートへ黄金比プレートと白銀比プレートとを嵌め込んだ構成検討プレートを示す図である。
【図１Ｆ】図１Ｅに示す構成検図プレートのＡ２−Ａ２断面図を示す図である。
【図２Ａ】黄金比プレートのスケールの比率を説明する図である。
【図２Ｂ】白銀比プレートのスケールの比率を説明する図である。
【図３Ａ】スケールプレートを操作しやすいように工夫した基板プレートの一例を示す図である。
【図３Ｂ】図３Ａの基板プレート２ａのＡ３−Ａ３断面を示す図である。
【図３Ｃ】段差のある穴２４ａを空けた基板プレート２ａを示す図である。
【図３Ｄ】図３Ｃの基板プレート２ａのＡ４−Ａ４断面を示す図である。
【図３Ｅ】多角形の凹部２５ａを設けた基板プレート２ａを示す図である。
【図３Ｆ】図３Ｅの基板プレート２ａのＡ５−Ａ５断面を示す図である。
【図４Ａ】本発明に係る実施の形態２の構図検討プレートの基板プレート２ｂを示す図である。
【図４Ｂ】図４Ａの基板プレート２ｂのＢ１−Ｂ１断面を示す図である。
【図４Ｃ】白銀比プレートを示す図である。
【図４Ｄ】基板プレートへ白銀比プレートを嵌め込んだ構成検討プレート示す図である。
【図４Ｅ】図４Ｄに示す構成検図プレートのＢ２−Ｂ２断面図を示す図である。
【図５Ａ】実施の形態３の基板プレートの一例（凹部の外周に角度を示す目盛をつけたもの）を示す図である。
【図５Ｂ】実施の形態３の基板プレートの一例（凹部の内側に角度を示す目盛をつけたもの）を示す図である。
【図６】実施の形態３のスケールプレートの一例を示す図であり、目盛をつけた多角形のスケールプレートの一例を示す図である。
【図７Ａ】締め具による連結手段を有する構図検討プレートの一例（二つのプレートを別々に用いる状態）を示す図である。
【図７Ｂ】締め具による連結手段を有する構図検討プレートの一例（二つのプレートを重ね合わせた状態）を示す図である。
【図７Ｃ】図７Ａ及び７Ｂの締め具を示す図である。
【図８Ａ】持ち手部分を有する構図検討プレートの一例（二つのプレートを別々に用いる状態）を示す図である。
【図８Ｂ】持ち手部分を有する構図検討プレートの一例（二つのプレートを重ね合わせた状態）を示す図である。
【図９Ａ】スケールプレートに凹凸を設けて連結する構図検討プレートの黄金比プレートを示す図である。
【図９Ｂ】図９Ａに示す黄金比プレートの側面図を示す図である。
【図９Ｃ】スケールプレートに凹凸を設けて連結する構図検討プレートの白銀比プレートを示す図である。
【図９Ｄ】図９Ｂに示す白銀比プレートの側面図を示す図である。
【図９Ｅ】黄金比プレートと白銀比プレートとを連結した状態の構図検討プレート１ｆを示す図である。
【図１０Ａ】溝を有するプレート把持部により二つのスケールプレートを連結する構図検討プレートの一例（矩形のスケールプレートを嵌め込むプレート把持部を備える）を示す図である。
【図１０Ｂ】溝を有するプレート把持部により二つのスケールプレートを連結する構図検討プレートの一例（正８角形のスケールプレートを嵌め込むプレート把持部を備える）を示す図である。
【図１１Ａ】実施の形態５のスケールプレートの一例（矩形を抽出した黄金比のスケール）を示す図である。
【図１１Ｂ】実施の形態５のスケールプレートの一例（矩形を取り除いた黄金比のスケール）を示す図である。
【図１１Ｃ】実施の形態５のスケールプレートの一例（４本の線分を抽出した黄金比のスケール）を示す図である。
【図１１Ｄ】実施の形態５のスケールプレートの一例（矩形を抽出した白銀比のスケール）を示す図である。
【図１１Ｅ】実施の形態５のスケールプレートの一例（矩形を取り除いた白銀比のスケール）を示す図である。
【図１１Ｆ】実施の形態５のスケールプレートの一例（４本の線分を抽出した白銀比のスケール）を示す図である。
【図１１Ｇ】実施の形態５のスケールプレートの一例（矩形を抽出した黄金比と白銀比のスケールを重ねたもの）を示す図である。
【図１１Ｈ】実施の形態５のスケールプレートの一例（矩形を取り除いた黄金比と白銀比のスケールを重ねたもの）を示す図である。
【図１１Ｉ】実施の形態５のスケールプレートの一例（４本の線分を抽出した黄金比と白銀比のスケールを重ねたもの）を示す図である。
【図１２Ａ】黄金比のスケールを用いて第1の構図を検討するようす示す図である。
【図１２Ｂ】黄金比のスケールを用いて第２の構図を検討するようす示す図である。
【図１２Ｃ】黄金比のスケールを用いて第1の構図を検討するようす示す図である。
【図１２Ｄ】黄金比のスケールを用いて第２の構図を検討するようす示す図である。
【図１２Ｅ】白銀比のスケールを用いて第1の構図を検討するようす示す図である。
【図１２Ｆ】白銀比のスケールを用いて第２の構図を検討するようす示す図である。
【図１３Ａ】天空の風神を描くような絵を示す図である。
【図１３Ｂ】図１３Ａの絵に標準位置から４５度回転させた黄金比のスケールを当てた状態を示す図である。
【図１３Ｃ】図１３Ａの絵に標準位置から４５度回転させた白銀比のスケールを当てた状態を示す図である。
【図１３Ｄ】図１３Ａの絵に標準位置の黄金比及び白銀比のスケールを重ねて当てた状態を示す図である。
【図１４Ａ】人物画を示す図である。
【図１４Ｂ】図１４Ａの人物画に標準位置から４５度回転させた黄金比のスケールを当てた状態を示す図である。
【図１４Ｃ】図１４Ａの人物画に標準位置から４５度回転させた白銀比のスケールを当てた状態を示す図である。
【図１５Ａ】風景画を示す図である。
【図１５Ｂ】図１５Ａの風景画の一つの位置に標準位置の黄金比のスケールを当てた状態を示す図である。
【図１５Ｃ】図１５Ａの風景画の他の位置に標準位置から４５度回転させた白銀比のスケールを当てた状態を示す図である。
【図１５Ｄ】図１５Ａの風景画の他の位置に標準位置の白銀比のスケールを当てた状態を示す図である。
【図１５Ｅ】図１５Ａの風景画の他の位置に標準位置から４５度回転させた白銀比のスケールを当てた状態を示す図である。
【図１６Ａ】僧侶のような人物画を示す図である。
【図１６Ｂ】図１６Ａの人物画に標準位置から４５度回転させた黄金比のスケールを当てた状態を示す図である。
【図１６Ｃ】図１６Ａの人物画に標準位置から４５度回転させた白銀比のスケールを当てた状態を示す図である。
【図１７Ａ】二人の人物画を示す図である。
【図１７Ｂ】図１７Ａの人物画を鏡面対称に描いた図に標準位置の黄金比のスケールを当てた状態を示す図である。
【図１７Ｃ】図１７Ａの人物画を鏡面対称に描いた図に標準位置の白銀比のスケールを当てた状態を示す図である。
【符号の説明】
【００８８】
１ａ、１ｂ  構図検討プレート
２ａ、２ｂ、２ｃ  基板プレート
３ａ、３ｄ、４ｆ〜４ｈ  黄金比プレート
４ａ、４ｂ、４ｄ、４ｅ、４ｆ〜４ｈ  白銀比プレート
５  目盛
６  スケールプレート
７ｄ、７ｅ  締め具
８ｇ、８ｈ  プレート把持部
２１ａ、２２ａ、２５ａ  凹部
２３ａ、２４ａ、３３ｆ、３４ｆ  穴
３１ｅ、４１ｅ、８２ｇ、８２ｈ  持ち手部
３２ｆ、４２ｆ、凸部
８１ｇ、８１ｈ  プレート受け部
【図１Ａ】
2008254287.tif 000003
【図１Ｂ】
2008254287.tif 000004
【図１Ｃ】
2008254287.tif 000005
【図１Ｄ】
2008254287.tif 000006
【図１Ｅ】
2008254287.tif 000007
【図１Ｆ】
2008254287.tif 000008
【図２Ａ】
2008254287.tif 000009
【図２Ｂ】
2008254287.tif 000010
【図３Ａ】
2008254287.tif 000011
【図３Ｂ】
2008254287.tif 000012
【図３Ｃ】
2008254287.tif 000013
【図３Ｄ】
2008254287.tif 000014
【図３Ｅ】
2008254287.tif 000015
【図３Ｆ】
2008254287.tif 000016
【図４Ａ】
2008254287.tif 000017
【図４Ｂ】
2008254287.tif 000018
【図４Ｃ】
2008254287.tif 000019
【図４Ｄ】
2008254287.tif 000020
【図４Ｅ】
2008254287.tif 000021
【図５Ａ】
2008254287.tif 000022
【図５Ｂ】
2008254287.tif 000023
【図６】
2008254287.tif 000024
【図７Ａ】
2008254287.tif 000025
【図７Ｂ】
2008254287.tif 000026
【図７Ｃ】
2008254287.tif 000027
【図８Ａ】
2008254287.tif 000028
【図８Ｂ】
2008254287.tif 000029
【図９Ａ】
2008254287.tif 000030
【図９Ｂ】
2008254287.tif 000031
【図９Ｃ】
2008254287.tif 000032
【図９Ｄ】
2008254287.tif 000033
【図９Ｅ】
2008254287.tif 000034
【図１０Ａ】
2008254287.tif 000035
【図１０Ｂ】
2008254287.tif 000036
【図１１Ａ】
2008254287.tif 000037
【図１１Ｂ】
2008254287.tif 000038
【図１１Ｃ】
2008254287.tif 000039
【図１１Ｄ】
2008254287.tif 000040
【図１１Ｅ】
2008254287.tif 000041
【図１１Ｆ】
2008254287.tif 000042
【図１１Ｇ】
2008254287.tif 000043
【図１１Ｈ】
2008254287.tif 000044
【図１１Ｉ】
2008254287.tif 000045
【図１２Ａ】
2008254287.tif 000046
【図１２Ｂ】
2008254287.tif 000047
【図１２Ｃ】
2008254287.tif 000048
【図１２Ｄ】
2008254287.tif 000049
【図１２Ｅ】
2008254287.tif 000050
【図１２Ｆ】
2008254287.tif 000051
【図１３Ａ】
2008254287.tif 000052
【図１３Ｂ】
2008254287.tif 000053
【図１３Ｃ】
2008254287.tif 000054
【図１３Ｄ】
2008254287.tif 000055
【図１４Ａ】
2008254287.tif 000056
【図１４Ｂ】
2008254287.tif 000057
【図１４Ｃ】
2008254287.tif 000058
【図１５Ａ】
2008254287.tif 000059
【図１５Ｂ】
2008254287.tif 000060
【図１５Ｃ】
2008254287.tif 000061
【図１５Ｄ】
2008254287.tif 000062
【図１５Ｅ】
2008254287.tif 000063
【図１６Ａ】
2008254287.tif 000064
【図１６Ｂ】
2008254287.tif 000065
【図１６Ｃ】
2008254287.tif 000066
【図１７Ａ】
2008254287.tif 000067
【図１７Ｂ】
2008254287.tif 000068
【図１７Ｃ】
2008254287.tif 000069